(57)【要約】【課題】信号方式の異なる通信方式による光信号が混在する光多重伝送において、隣接する光パスとの波長の干渉を防止して、波長の割り当てを効率的に行う。【解決手段】波長分割多重された任意の波長を入出力し、信号方式の異なる複数の変調方式による信号の波長多重を行う複数のＯＡＤＭノードと、ＯＡＤＭノードと通信網を介して接続され、ＯＡＤＭノードにおける光パスの開通制御を行うＯｐＳとを有する光多重通信システムにおいて、ＯｐＳは、光パスに用いられる各信号方式の隣接関係において必要となる空き波長数を管理し、光パスの開通に際して、隣接する光パスの信号方式と空き波長数の関係を確認して、必要となる空き波長数が確保可能な波長番号を選択する。【選択図】図４
2012029156.tif 000002
【特許請求の範囲】
【請求項１】
波長分割多重された任意の波長を入出力し、信号種別の異なる複数の変調方式による信号の波長多重を行う複数のＯＡＤＭノードと、該ＯＡＤＭノードと通信網を介して接続され、該ＯＡＤＭノードにおける光パスの開通制御を行うＯｐＳとを有する光多重通信システムであって、
該ＯｐＳは、光パスに用いられる異なる信号方式の隣接関係において干渉を回避するに必要な空き波長数を管理する管理手段と、光パスの開通に際して、該管理手段を参照して隣接する光パスの信号種別と空き波長数の関係を確認し、必要な空き波長数が確保可能な波長番号を選択するパス開通処理部とを有することを特徴とする光多重通信システム。
【請求項２】
請求項１に記載の光多重通信システムであって、
前記管理手段は、開通済みの光パスのパス番号、波長番号、信号種別、及び該光パスの始点及び終点となるＯＡＤＭノードのＩＤを含むパス情報を管理するパス情報テーブルと、
複数の異なる信号種別に対して、パスが隣接した場合に干渉を回避する必要な空き波長数を管理する干渉回避条件テーブルを有し、
前記パス開通処理部は、開通が要求された光パスの信号種別、始点及び終点を把握し、かつ該干渉回避条件テーブルを参照して干渉回避条件を確認し、
該パス情報テーブルを参照しながら空いている光パスを探し、該空いている光パスが該干渉条件を満たすかを確認し、満たす場合には該光パスの波長番号、要求された信号種別、及び該光パスの始点及び終点に関するパス情報を取得することを特徴とする光多重通信システム。
【請求項３】
請求項２に記載の光多重通信システムであって、
前記パス開通処理部は、取得した前記パス情報を記憶手段に一時保存しておき、全ての波長番号について検索が終了した時に、該干渉回避条件を満たす全ての光パスのパス情報を該記憶手段から読み出して該パス情報の一覧を出力部に表示し、操作者による入力部からの指定によって選択された該光パスにパス番号を付与して、
該選択された光パスについて該当する前記ＯＡＤＭノードに、光パスの開通を行うための指令を発し、
かつ開通した該光パスのパス情報を、前記パス情報テーブルに追加することを特徴とする光多重通信システム。
【請求項４】
請求項２又は３に記載の光多重通信システムであって、
前記管理手段は、前記パス情報テーブルにおける光パスの検索に際して、信号種別ごとに検索を開始する波長番号と、検索の方向を管理する検索管理テーブルを更に有し、
前記パス開通処理部は、該検索管理テーブルを参照して、開通が要求された光パスの信号種別に応じて該パス情報テーブルの検索の開始点及び検索方向を決めて、該パス情報テーブルを検索して、該干渉回避条件テーブルの干渉回避条件を満たす、空いている光パスを取得することを特徴とする特徴とする光多重通信システム。
【請求項５】
請求項１に記載の光多重通信システムであって、
前記管理手段は、開通済みの光パスのパス番号、波長番号、信号種別、及び該光パスの始点及び終点となるＯＡＤＭノードのＩＤを含むパス情報を管理するパス情報テーブルと、
各ＯＡＤＭノード間で予想される信号種別ごとの波長番号数を予め設定すると共に、隣接するパスとの波長干渉を防止するために信号種別間を所定の波長数分だけ離して設定する波長割当テーブルを有し、
前記パス開通処理部は、開通が要求された光パスの信号種別、始点及び終点を把握し、かつ該波長割当テーブルを参照して該パス情報テーブルを検索して空いている光パスを探し、探した該光パスの波長番号、要求された信号種別、及び該光パスの始点及び終点に関するパス情報を取得することを特徴とする光多重通信システム。
【請求項６】
波長分割多重された任意の波長を入出力し、信号種別の異なる複数の変調方式による信号の波長多重を行う複数のＯＡＤＭノードにおける光パスの開通制御を行う光パス割当て制御方法であって、
該光パスに用いられる異なる信号方式の隣接関係において干渉を回避するに必要な空き波長数を管理する管理ステップと、光パスの開通に際して、隣接する光パスの信号種別と空き波長数の関係を確認し、必要な空き波長数が確保可能な波長番号を選択するパス開通処理ステップとを有することを特徴とする光パス割当て制御方法。
【請求項７】
請求項１に記載の光パス割当て制御方法であって、
開通済みの光パスのパス番号、波長番号、信号種別、及び該光パスの始点及び終点となるＯＡＤＭノードのＩＤを含むパス情報を管理するパス情報テーブルと、複数の異なる信号種別に対して、パスが隣接した場合に干渉を回避する必要な空き波長数を管理する干渉回避条件テーブルを有し、
前記パス開通処理ステップにおいて、開通が要求された光パスの信号種別、始点及び終点を把握し、かつ該干渉回避条件テーブルを参照して干渉回避条件を確認し、
該パス情報テーブルを参照しながら空いている光パスを探し、該空いている光パスが該干渉条件を満たすかを確認し、満たす場合には該光パスの波長番号、要求された信号種別、及び該光パスの始点及び終点に関するパス情報を取得することを特徴とする光パス割当て制御方法。
【請求項８】
請求項７に記載の光パス割当て制御方法であって、
開通済みの光パスのパス番号、波長番号、信号種別、及び該光パスの始点及び終点となるＯＡＤＭノードのＩＤを含むパス情報を管理するパス情報テーブルと、各ＯＡＤＭノード間で予想される信号種別ごとの波長番号数を予め設定すると共に、隣接するパスとの波長干渉を防止するために信号種別間を所定の波長数分だけ離して設定する波長割当テーブルを有し、
前記パス開通処理ステップにおいて、開通が要求された光パスの信号種別、始点及び終点を把握し、かつ該波長割当テーブルを参照して該パス情報テーブルを検索して空いている光パスを探し、探した該光パスの波長番号、要求された信号種別、及び該光パスの始点及び終点に関するパス情報を取得することを特徴とする光パス割当て制御方法。
【発明の詳細な説明】
【技術分野】
【０００１】
本発明は、光多重通信システム及び光パス割当て制御方法に係り、特に、波長選択光スイッチを用いた光分岐多重装置において、異なる信号方式の光回線を混在して多重化させる場合に好適な使用波長の割り当て制御に関する。
【背景技術】
【０００２】
光ファイバを用いて波長の異なる複数の光信号を多重化して伝送する、ＷＤＭ (Wavelength Division Multiplexing)が実用化されている。昨今、ＷＤＭにおいては波長多重数の増加や伝送速度の高速化により、隣接する波長との干渉が伝送品質の劣化を招き、通信障害の要因となっている。
【０００３】
光回線の増加の要求に対しては、未使用波長を利用して新しい回線に割り当てて回線を増設することが提唱されている。例えば、特許文献１には、ＯＡＤＭノードにて電気スイッチを用いて光電（電光）変換することで、波長変換する光伝送装置において、光パスの開通時、光パス経路上のＷＤＭ区間において共通に使用していない波長がない場合、波長変換を行うことでＷＤＭ区間の使用波長を有効に使用する光多重伝送が開示されている。
【先行技術文献】
【特許文献】
【０００４】
【特許文献１】特開２００２-８４２５９公報
【発明の概要】
【発明が解決しようとする課題】
【０００５】
上述のように、従来は波長というリソースを有効に活用することを目的として、波長の使用又は未使用のみを確認して波長を割り当てている。
現在、光多重伝送において実用化されている通信信号方式としては、光の強度を変化させて情報を伝送する強度変調方式や、位相の変化に応じて情報を伝送する位相変調方式が存在し、伝送速度の違いなどを含めると様々な種類の光信号が存在する。そして、信号方式の異なる光信号を混在させて多重化した場合、例えば、強度変調方式の光信号と、位相変調方式による光信号が互いに隣り合う場合、原理的に干渉が起こるという問題が指摘されている。
【０００６】
また、現在実用化されている最大多重数は１０００波程度あるが、新回線に未使用の波長を割当てる作業はオペレータに頼っている。そのため、干渉が起きないように波長を選択する作業やその管理が煩わしく、次第に困難になりつつある。
【０００７】
本発明の目的は、変調方式の異なる信号方式による光信号が混在する光多重伝送において、隣接する光パスとの波長の干渉を防止して、波長の割り当てを効率的に行うことを可能とすることにある。
【課題を解決するための手段】
【０００８】
本発明に係る光多重通信システムは、好ましくは、波長分割多重された任意の波長を入出力し、信号種別の異なる複数の変調方式による信号の波長多重を行う複数のＯＡＤＭノードと、該ＯＡＤＭノードと通信網を介して接続され、該ＯＡＤＭノードにおける光パスの開通制御を行うＯｐＳとを有する光多重通信システムであって、
該ＯｐＳは、光パスに用いられる異なる信号方式の隣接関係において干渉を回避するに必要な空き波長数を管理する管理手段と、光パスの開通に際して、該管理手段を参照して隣接する光パスの信号種別と空き波長数の関係を確認し、必要な空き波長数が確保可能な波長番号を選択するパス開通処理部とを有することを特徴とする光多重通信システムとして構成される。
【０００９】
好ましい例によれば、上記光多重通信システムにおいて、前記管理手段は、開通済みの光パスのパス番号、波長番号、信号種別、及び該光パスの始点及び終点となるＯＡＤＭノードのＩＤを含むパス情報を管理するパス情報テーブルと、複数の異なる信号種別に対して、パスが隣接した場合に干渉を回避する必要な空き波長数を管理する干渉回避条件テーブルを有し、
前記パス開通処理部は、開通が要求された光パスの信号種別、始点及び終点を把握し、かつ該干渉回避条件テーブルを参照して干渉回避条件を確認し、
該パス情報テーブルを参照しながら空いている光パスを探し、該空いている光パスが該干渉条件を満たすかを確認し、満たす場合には該光パスの波長番号、要求された信号種別、及び該光パスの始点及び終点に関するパス情報を取得する。
【００１０】
また、好ましい例では、上記光多重通信システムにおいて、前記パス開通処理部は、取得した前記パス情報を記憶手段に一時保存しておき、全ての波長番号について検索が終了した時に、該干渉回避条件を満たす全ての光パスのパス情報を該記憶手段から読み出して該パス情報の一覧を出力部に表示し、操作者による入力部からの指定によって選択された該光パスにパス番号を付与して、
該選択された光パスについて該当する前記ＯＡＤＭノードに、光パスの開通を行うための指令を発し、かつ開通した該光パスのパス情報を、前記パス情報テーブルに追加する。
【００１１】
また、好ましい例では、上記光多重通信システムにおいて、
前記管理手段は、前記パス情報テーブルにおける光パスの検索に際して、信号種別ごとに検索を開始する波長番号と、検索の方向を管理する検索管理テーブルを更に有し、
前記パス開通処理部は、該検索管理テーブルを参照して、開通が要求された光パスの信号種別に応じて該パス情報テーブルの検索の開始点及び検索方向を決めて、該パス情報テーブルを検索して、該干渉回避条件テーブルの干渉回避条件を満たす、空いている光パスを取得する。
【００１２】
また、好ましい例では、光多重通信システムにおいて、前記管理手段は、開通済みの光パスのパス番号、波長番号、信号種別、及び該光パスの始点及び終点となるＯＡＤＭノードのＩＤを含むパス情報を管理するパス情報テーブルと、各ＯＡＤＭノード間で予想される信号種別ごとの波長番号数を予め設定すると共に、隣接するパスとの波長干渉を防止するために信号種別間を所定の波長数分だけ離して設定する波長割当テーブルを有し、
前記パス開通処理部は、開通が要求された光パスの信号種別、始点及び終点を把握し、かつ該波長割当テーブルを参照して該パス情報テーブルを検索して空いている光パスを探し、探した該光パスの波長番号、要求された信号種別、及び該光パスの始点及び終点に関するパス情報を取得する。
【００１３】
本発明に係る光パス割当て制御方法は、好ましくは、波長分割多重された任意の波長を入出力し、信号種別の異なる複数の変調方式による信号の波長多重を行う複数のＯＡＤＭノードにおける光パスの開通制御を行う光パス割当て制御方法であって、
該光パスに用いられる異なる信号方式の隣接関係において干渉を回避するに必要な空き波長数を管理する管理ステップと、光パスの開通に際して、隣接する光パスの信号種別と空き波長数の関係を確認し、必要な空き波長数が確保可能な波長番号を選択するパス開通処理ステップとを有することを特徴とする光パス割当て制御方法として構成される。
【００１４】
好ましい例によれば、上記光パス割当て制御方法において、開通済みの光パスのパス番号、波長番号、信号種別、及び該光パスの始点及び終点となるＯＡＤＭノードのＩＤを含むパス情報を管理するパス情報テーブルと、複数の異なる信号種別に対して、パスが隣接した場合に干渉を回避する必要な空き波長数を管理する干渉回避条件テーブルを有し、
前記パス開通処理ステップにおいて、開通が要求された光パスの信号種別、始点及び終点を把握し、かつ該干渉回避条件テーブルを参照して干渉回避条件を確認し、
該パス情報テーブルを参照しながら空いている光パスを探し、該空いている光パスが該干渉条件を満たすかを確認し、満たす場合には該光パスの波長番号、要求された信号種別、及び該光パスの始点及び終点に関するパス情報を取得する。
【００１５】
また、好ましい例では、上記光パス割当て制御方法において、開通済みの光パスのパス番号、波長番号、信号種別、及び該光パスの始点及び終点となるＯＡＤＭノードのＩＤを含むパス情報を管理するパス情報テーブルと、各ＯＡＤＭノード間で予想される信号種別ごとの波長番号数を予め設定すると共に、隣接するパスとの波長干渉を防止するために信号種別間を所定の波長数分だけ離して設定する波長割当テーブルを有し、
前記パス開通処理ステップにおいて、開通が要求された光パスの信号種別、始点及び終点を把握し、かつ該波長割当テーブルを参照して該パス情報テーブルを検索して空いている光パスを探し、探した該光パスの波長番号、要求された信号種別、及び該光パスの始点及び終点に関するパス情報を取得する。
【発明の効果】
【００１６】
本発明によれば、変調方式の異なる信号方式による光信号が混在する光多重伝送において、隣接する光パスとの波長の干渉を防止して、波長の割り当てを効率的に行うことが可能となる。これにより、開通した光パス及び既存開通パスへの通信障害を抑止することが可能となる。
【図面の簡単な説明】
【００１７】
【図１】一実施例における光多重通信システムの構成を示す図である。
【図２】一実施例におけるＯＡＤＭノードの機能構成を示すブロック図である。
【図３】一実施例におけるＯｐＳのハードウェア構成を示す図である。
【図４】一実施例におけるＯｐＳの機能構成を示す図である。
【図５】一実施例におけるパス情報テーブル３２１を示す図である。
【図６】一実施例における干渉回避条件テーブル３２２を示す図である。
【図７】実施例１におけるパス開通処理フローを示す図である。
【図８】実施例１におけるパスの開通状態を示す線図である。
【図９】実施例２におけるＯｐＳの機能構成を示す図である。
【図１０】実施例２における波長割当テーブル３２３を示す図である。
【図１１】実施例２におけるパス開通処理フローを示す図である。
【図１２】実施例２におけるパスの開通状態を示す線図である。
【図１３】実施例３における検索管理テーブル３２４を示す図である。
【図１４】実施例３におけるパス開通処理フローを示す図である。
【図１５】実施例１におけるパスの開通候補の表示画面例を示す図である。
【発明を実施するための形態】
【００１８】
以下、図面を参照しながら、本発明による幾つかの実施例について説明する。
図１は、光分岐多重通信のシステム構成を示す。このシステムは、高密度光波長多重（ＤＷＤＭ：Dense Wavelength Division Multiplexing）のリング網を想定し、局間光ファイバ１０４により接続された、複数（４台）のＯＡＤＭ（Optical Add Drop Multiplexer）ノード１００と、２つのＯＡＤＭノード１００にＤＣＮ(Data Communication Network)２０を介して接続されるＯｐＳ３０を有して構成される。ＯｐＳ３０は、各ＯＡＤＭノード１００を監視し制御するサーバであり、各ＯＡＤＭノード１００における光パスの開通及び削除の制御を行う。また例えばＴＬ１コマンドを用いてＯＡＤＭノード１０のエラー発生状況や光ファイバの断線等を遠隔監視制御する。
【００１９】
各ＯＡＤＭノード１０は、波長分割多重（ＷＤＭ）で多重された任意の波長を入出力するＯＡＤＭ部１０１とＩＦ部１０８を備え、ＯｐＳ３０の制御により光パス(以下単にパスという)２００が開通され、また開通済みのパスが削除される。ＯＡＤＭノード１０は、主回線とは別に監視制御専用のＯＳＣ(Optical Supervisory Channel)機能を有しており、局間光ファイバ１０４を介して通信路を確立することができる。
ＯｐＳ３０とＯＡＤＭノード１００間の通信は、ルータ等から構成されたＤＣＮ(Data Communication Network)を用いて行われるが、ＤＣＮ２と直接接続されていないＯＡＤＭノード１００については、ＤＣＮ２と接続されたＯＡＤＭノード１００を経由して、ＯＳＣを使って通信路を確立する。ＯＡＤＭ部１０１における局間光ファイバ１０４との接続口２つについて、本実施例ではリング形態を想定しており、一方を”West方向”、他方を”East方向”と定義する。
【００２０】
図２は、ＯＡＤＭノードの構成を示す。
ＯＡＤＭノード１０は、光増幅部１０５、光分岐挿入部１０７、ＩＦ部１０８、制御部１０６を備えて構成される。
光増幅部１０５は、波長多重信号光を電気信号に変換することなく局間伝送可能な信号光強度に一括増幅する。光分岐挿入部１０７は、光増幅部１０５より受信した波長多重信号光を分離し、任意の波長について分岐、挿入もしくは通過後、再度、波長多重を行い、光増幅部１０５へ送信する。光分岐挿入部１０７は、波長を分岐せずに、対向側の分岐挿入部１０７へ光ファイバ１１６で送信することもできる。ＩＦ部１０８は、１波長毎にWestとEastにトランスポンダ１０２を有する。例えば、１６の波長番号から構成される場合、１６組のトランスポンダ１０２が実装される。
【００２１】
トランスポンダ１０２は、ポートより受信したクライアント信号１２５を波長多重するために適正な信号フォーマット、信号光強度、信号光波長に変換し、光ファイバ１１７を通り、光分岐挿入部１０７へ送信する。また、光分岐挿入部１０７で分離した任意の波長を、外部端局装置と接続するために適正な信号フォーマット、信号光強度、信号光波長に変換し、光ファイバ１１８を通って、トランスポンダのポートへ送信する。
ここで、波長多重するための信号フォーマットとしては、信号方式（信号種別ということもある）が、強度変調方式のものと、位相変調方式で回線速度が異なるＡ、Ｂの３種類（即ち強度変調方式、位相変調方式Ａ、位相変調方式Ｂ）のタイプが存在するものとする。
【００２２】
図３は、ＯｐＳのハードウェア構成を示す。
ＯｐＳ３０は、パーソナルコンピュータ（ＰＣ）等の一般的な情報処理装置である。装置内のバスに接続された、プログラムを実行して情報処理するプロセッサ（ＣＰＵ）３００、データやプログラムを記憶するハードディスク（ＨＤＤ）３０１やメモリ３０２、種々の情報を入力する入力装置３０３、情報を表示出力する出力装置３０４、及びネットワークに接続する通信ＩＦ３０５を備えて構成される。ＨＤＤ３０１には、パス２００の開通や削除等の管理をするためのプログラムが記憶され、ユーザの入力装置３０３を介した操作により起動される。
【００２３】
[実施例１]
図４は、ＯｐＳ３０の機能構成を示す。
ＯｐＳ３０は、入力部３３、出力部３４、情報処理部３１、データベース（ＤＢ）３２、及び通信処理部３５を有して構成される。入力部３３及び出力部３４は、ハードウェア構成の入力装置３０３及び出力装置３０４により実現される。情報処理部３１は、ＣＰＵ３００で所定のプログラムを実行することで、パス開通処理部３１１及びパス削除処理部３１２の機能をそれぞれ実現する。データベース３２は、ＨＤＤ３０１又はメモリ３０２内に形成され、パス情報テーブル３２１と干渉回避条件テーブル３２２を保持する。通信処理３５は通信ＩＦ３０５により実現され、ＯＡＤＭノード１００に制御命令を送信する。
【００２４】
次に、各テーブルの構成について説明する。
図５は、パス情報テーブル３２１の構成を示す。パス情報テーブル３２１は、開通したパス情報、即ちどの区間にどの波長のパスが開通されているかを表すパス情報を登録する。このテーブルは、パス開通時に空き波長をチェックするために利用される。その登録する情報は、ＯｐＳ３０がパスを開通させたときのパスを識別するパス番号５０１、使用する波長の番号を示す番号５０２、信号の変調方式の種別（即ち強度変調方式か又は位相変調方式かの種別）を示す信号種別５０３と、パス始点のＯＡＤＭノードＩＤ５０４とパス始点からみたパス方向５０５、及びパス終点のＯＡＤＭノードＩＤ５０６とパス始点から見たパス方向５０７、を示す情報である。
【００２５】
図６は、干渉回避条件テーブル３２２の構成を示す。干渉回避条件テーブル３２２は、３つの種別の信号方式（強度変調方式と位相変調方式Ａと位相変調方式Ｂ）のパスに対して、パスが隣接した場合に必要な空き波長数を管理するテーブルである。ここで、位相変調方式ＡとＢは同じ変調方式であるが、位相変調方式Ｂの方が位相変調方式Ａよりも、単位時間当たりに転送する情報量が数倍程度大きいとする。
また、空き波長数とは、信号種別の異なるパスを開通させる際に必要な波長の間隔を示す数を意味する。空き波長数は、信号方式による原理的な制約や運用時の経験に基づいて算出された値であり、予め管理者によって予めこのテーブルに登録される。
図示の例では、強度変調方式と位相変調方式Ａとが隣接する場合、最低２波長分の空きが必要であり、また位相変調方式Ａと位相変調方式Ｂとが隣接する場合、最低１波長分の空きが必要である、ことが分かる。
【００２６】
次に、図７及び図８を参照して、パスの開通処理について説明する。
この処理は、パス開通処理部３１１により実行される。
パスの開通や削除に際して、パスの状況を示す管理画面が出力部３４に表示される。操作者は、出力部３４に表示された画面内容を見て、入力部３３よりパスの開通に際して必要な情報（信号種別、始点、終点）を入力する（Ｓ７００）。この例では、ＯＡＤＭノードＡ（始点）とＯＡＤＭノードＣ（終点）の間に、信号方式が位相変調方式Ａのパスを開通する要求があったと仮定する。
入力された情報から、新規パスの開通区間とパスの信号種別を確認する(Ｓ７０１)。そして、干渉回避条件テーブル３２２を参照して、新規パスの信号種別に対する干渉条件を確認する(Ｓ７０２)。
【００２７】
次に、検索対象の最大値に、最大波長番号(本実施例では１６とする)をセットする(Ｓ７０３)。そして、検索対象となる波長番号ｎに対して、最小波長番号である「１」をセットし(Ｓ７０４)、最小波長番号である「１」から順にインクリメントしながら(Ｓ７０９)、干渉回避条件を満足できるか否かについて、最大波長番号になるまで(Ｓ７１０)、使用可能な波長番号を検索する処理を行う。
【００２８】
即ち、まず、波長番号「１」の時、パス情報テーブル３２１を参照しながら、検索対象の波長番号について、パス開通区間に対するパスの開通状況を確認する(Ｓ７０５)。そして、対象のパスが割当て済みか否かを判定する（Ｓ７０６）。その結果、パス割当て済みの場合は、波長番号ｎに「１」を加えて(Ｓ７０９)、波長番号が最大かを判定する(Ｓ７１０)。その結果、最大でない場合（ｎ>max：No）は、ステップＳ７０５に移って、次の波長番号（即ち波長番号「２」）について、パスが割当て済みかを確認する。一方、波長番号ｎが最大の場合（ｎ>max：Yes）は、パス開通不可として処理を終了する。
【００２９】
パスが割当済みでない場合（Ｓ７０６：No）、その波長番号が干渉区間かを、Ｓ７０２で取得した、干渉回避条件を基に波長番号ｎの前後の波長を確認する(Ｓ７０７)。確認の結果、干渉区間でない場合には、当該波長番号、信号種別（この場合位相変調方式Ａ）、始点（ノードＡ）及び終点（ノードＣ）を含むパス情報をメモリ３０２内のバッファ領域に一時保存する（Ｓ７０８）。
上記確認の結果、干渉区間の場合は波長番号ｎに「１」を加え(Ｓ７０９)、かつ波長番号が最大でない場合は(Ｓ７１０)、次の波長番号（ｎ＋１）について確認する。このようにして、波長番号ｎが最大波長番号「１６」まで確認しても、干渉回避条件を満たすパスが確認できなかった場合は(Ｓ７１０)、パス開通不可としてエラー終了とする。一方、波長番号ｎが最大「１６」に至る間に、干渉区間に該当しない１又は複数のパスを確認できた場合は、それらのうちの１つパス番号を取得して開通処理を行い(Ｓ７１２〜７１４)、処理を終了する。
【００３０】
ここで、図８（パスの開通状態を示す線図）も参照しながら、干渉区間の判定処理についてより具体的に説明する。
４つのＯＡＤＭノードＡ〜Ｄ（１００）が、ＷＤＭ区間が１６多重化(上から下に向けた波長番号１〜１６とする)可能な構成であり、パスの開通削除を繰り返し、９本のパス開通（即ちパス番号０１５３，０２１２、〜３３８１の９本のパス）が行われた状態を表している。ここで、破線は空き波長、実線は開通済みパス、数字はパス番号を表す。また、図５のパス情報テーブル３２１の内容は、図８のパスの開通状況と一致している。
【００３１】
この前提で、ＯＡＤＭノードＡ（以下単にノードＡという）とＯＡＤＭノードＣ（以下単にノードＣという）間に、信号方式が位相変調方式Ａのパス開通要求があったとする。まず、Ｓ７０１において操作者の入力情報から、「パスの開通区間はＯＡＤＭノードＡ−ＯＡＤＭノードＣ間、信号種別は位相変調方式Ａである」ことを確認する。次に、Ｓ７０２で、干渉回避条件テーブル３２２を参照して干渉条件を調べる。この干渉条件によれば、隣接するパスに関して、少なくとも、強度変調方式のパスに対しては波長数２、位相変調方式Ａのパスに対しては波長数０、位相変調方式Ｂのパスに対しては波長数１の空き波長数が必要である。そこで、上記条件を満足するパス番号が有るかを確認する処理を行う。
【００３２】
まず、Ｓ７０３で変数maxに「１６」を入力し、Ｓ７０４で変数ｎに「１」を入力する。Ｓ７０７でパス情報テーブル３２１を参照して、ｎ=１のＯＡＤＭノードＡ−ＯＡＤＭノードＣ間におけるパス開通状況を調べる。そして、Ｓ７０６でパス割当済みか判定すると、ｎ=１の場合はパス番号「０１５３」に割当済みと分かるので、Ｓ７０９を実行して、波長番号をｎ=２に更新する。Ｓ７１０の判定でｎは「１６」でないので、Ｓ７０５に移り、以後、ｎ=４まではパス割当済みなので、ｎ=１の場合と同様の処理動作を繰り返す。
【００３３】
ｎ=５の場合は、ノードＡ−Ｃ間にパス割当済みでないため、Ｓ７０６の結果は「Ｎｏ」となり、Ｓ７０７で干渉区間かを調査する。波長番号５の前後１波長に対して、強度変調方式又は位相変調方式Ｂのパスが開通済みかを確認する。その結果、波長番号４は強度変調方式のパスが開通済み（パス番号３５１６）なので、干渉回避条件テーブル３２２に照らし波長番号５は干渉区間に該当する。次にＳ７０９でｎ=６と更新する。パス情報テーブル３２１によれば、波長番号ｎ=６はパス割当済み、波長番号ｎ=７、ｎ=８はパスが割当済みでないが、ｎ＝６に強度変調方式によるパスが割当済みであり、かつ要求された位相変調方式Ａと未利用のパスｎ＝７、８との間は、２波長数離れていないので、干渉回避条件テーブル３２２に照らし、ｎ＝７，８は干渉区間に該当する。
【００３４】
ｎ=９の場合はパス割当済みでなく、ｎ=１０に位相変調方式Ａのパスが開通済みであるが、パス番号７，８と２波長数分は離れていて、かつ隣りのパスｎ＝１０は同じ信号方式のパスなので、干渉回避条件テーブル３２２に照らし、ｎ＝９は干渉区間に該当しない。そこで、パス番号ｎ＝９のパス情報をメモリのバッファ領域に保存する。
この時点で、パス番号は１つ確保されたが、ｎはmax「１６」でないので、更にｎを１０，１１、・・と更新しながら同様の動作を繰り返す。ｎ＝１０の場合には、位相変調方式Ａのパスが割当て済みであるが、ｎ＝１１，１２，１３，１４は、割当て済みのパスがなく、かつｎ＝１６（位相変調方式Ｂのパスが割当て済み）とも、１波長数分離れているので、これらの波長番号は全て、干渉区間に該当しないので、それらのパス情報は全て、メモリに一時保存されて、ステップＳ７１までの処理が終わる。
【００３５】
この時点で、出力部３４の表示画面には、図１５に示すような、パス開通候補の一覧表が表示される。即ち、波長番号が９，１１，１２，１３，１４の各パス情報が表示される。操作者はこの一覧表の中から、例えばパス番号９を選択し、入力部３３より一覧表の「パス選択欄１５０２に「レ」を入力する。そして、パス開通ボタン１５０３をクリックすることで、パス番号９が選択される。そして、パス開通処理部３１１は、選択されたパス番号９に対して予め用意していたパス番号（例えば６３５２）を取得して自動的に割り当てる。パス番号「６３５２」は、図１５の一覧表のパス番号欄１５０１に表示される。
【００３６】
更に、パス開通処理部３１１は、ＯｓＰ３０からＤＣＮ２０を介して関連する始点と終点のＯＡＤＭノードＡとノードＣにパス開通の指令を送信する。ＯＡＤＭノードＡ及びＣの制御部１０６はパス開通指令を受信すると、対応する波長番号のトランスポンダ１０２に対して光の発光指示や光分岐挿入部１０７に光の経路の設定を行う。これにより、ＯＡＤＭノードＡとノードＣの間に位相変調方式Ａのパスを開通させることができる（Ｓ７１３）。
新たなパスが開通すると、パス開通処理部３１１は、パス情報テーブル３２１にパス開通した波長番号９（パス番号６３５２）のパス情報を追加して、そのテーブル３２１の一覧を出力部３４に表示する（Ｓ７１４）。これで、一連のパス開通処理を終了する。
以上のように、本実施例によれば、パス開通の現状を保持するパス情報テーブル３２１、及び干渉回避条件テーブル３２２を用いることで、パスの開通処理において隣接するパスとの波長干渉を防止することができ、開通したパス及び既存開通パスへの通信障害を抑止することができる。
【００３７】
[実施例２]
この例は、各ノード間で必要となる波長番号数、即ち強度変調方式と、位相変調方式Ａと、位相変調方式Ｂのそれぞれ必要な波長番号数を予め設定すると共に、隣接するパスとの波長干渉を防止するために、それらの信号方式間を所定の波長数分だけ離して固定的に設定するものである。新たなパスの割当て管理は、波長番号の設定された波長割当テーブル３２３を用いて、使用する波長番号の割り当てすることで行われる。
実施例２において特徴的なことは、図１０に示すように、波長割当テーブル３２３が用意されることである。その他の、パス情報テーブル３２１の構成及び処理機能は実施例１の構成と同様と考えて良い。
【００３８】
図１０は、波長割当テーブル３２３の構成を示す。この波長割当テーブルは、全ての波長番号１００１に対して、ＷＤＭ区間毎１００２〜１００４に使用可能なパスの信号種別を割り当てるフィールドで構成される。尚、このテーブルは干渉回避条件テーブル３２２の条件を考慮し、干渉する可能性のある波長番号については、予め制限区間という取り扱いにして波長の割当が行われないように設定される。例えば、ＯＡＤＭノードＡ−Ｂ間において、強度変調方式のパスと位相変調方式Ａのパスの境界は、２波長分（波長番号７と８）だけ離して設定される。この離間する領域を制限区間ということにする。
【００３９】
次に、図１１の処理フローを参照して、本実施例のパス開通処理について説明する。
前提として、この例でも、ＯＡＤＭノードＡとＯＡＤＭノードＣ間に、信号種別が位相変調方式Ａのパスを開通させる要求が入力されたとする。
まず、入力部３３より入力された信号種別、始点及び終点から、新規パスの開通区間と信号種別を確認する（Ｓ１１００、Ｓ１１０１）。次に、波長割当テーブル３２３を参照して、新規パスに対する割当可能な波長の範囲を確認して（Ｓ１１０２）、最小値を変数minに設定して、最大値を変数maxに設定する。次に、変数ｎに変数minを入力する（Ｓ１１０３）。パス情報テーブル３２１を参照して、波長番号ｎの開通区間に対するパスの開通状況を確認する（Ｓ１１０４）。次に、パス割当済みかを判定し（Ｓ１１０５）、パス割当済みの場合は、ｎに「１」を加えて（Ｓ１１０７）、ｎがmaxか確認する（Ｓ１１０８）。そして、ｎがmaxの場合は処理を終了する。ｎがmaxでない場合はステップＳ１１０４の処理を繰り返して実行する。Ｓ１１０５の判定でパス割当済みでない場合、パスを開通し、終了する。
【００４０】
次に、図１２のパスの開通状態を参照しながら、パス開通処理について説明する。
パス情報テーブル３２１（図５）の内容は図１２のパスの開通状況と一致している。まず、Ｓ１１０１で、「パスの開通区間はＯＡＤＭノードＡとＯＡＤＭノードＣ間、信号種別は位相変調方式Ａである」ことを確認する。次に、Ｓ１１０２で、波長割当テーブル３２３を確認する。開通したいパスの区間はＯＡＤＭノードＡ-Ｂ間とＯＡＤＭノードＢ−Ｃ間である。ＯＡＤＭノードＡ−Ｂ間の位相変調方式Ａは波長９、１０、１１である。ＯＡＤＭノードＢ-Ｃ間の位相変調方式Ａは波長１０、１１、１２、１３である。従って、ＯＡＤＭノードＡ-Ｃ間に開通可能な位相変調方式Ａのパスは波長１０、１１であることが分かる。変数min=１０、変数max=１１を入力する。Ｓ１１０３でｎ=１０を入力し、Ｓ１１０４でパス情報テーブル３２１を確認する。ｎ=１０は割当済みなので、Ｓ１１０７でｎに「１」を加え、Ｓ１１０４を実行する。Ｓ１１０５でパス割当済みでないので、Ｓ１１０６を実行する。
【００４１】
以上の処理の結果、波長番号１０は既にパス番号「０５８４」が割当て済みなので、残りの１つである、波長番号１１のパス情報が開通候補として確保される。そして、図１５と同様に、候補パスとして、波長番号１１に関するパス情報を含む一覧表が表示される。なお、選択された波長番号（この例では波長番号１１のみ）に対してパス番号を設定する処理（Ｓ１１１０）、パス開通処理（Ｓ１１１１）及びパス開通結果の表示（Ｓ１１１２）が行われるが、これらの処理は実施例１と同様であるので、その説明は省略する。
本実施例によれば、信号方式と制限区間を管理する波長割当テーブル３２３を用いることによって、隣接するパスとの波長干渉を防止することができる。
【００４２】
[実施例３]
この例は、実施例１におけるＯｐＳの構成（図４）に、図１３に示すような検索管理テーブル３２４を追加したものである。新たなパス開通処理のために、この検索管理テーブル３２４を併用することにより、実施例１に比べて、異なる信号方式のパス間毎に干渉区間として確保されるパス数の消費を出来るだけ少なくし、かつ空きパスを検索する時間を短縮化することを狙ったものである。
【００４３】
図１３を参照するに、この検索管理テーブル３２４には、信号種別１３０１と、検索開始波長番号１３０２と、検索方向１３０３を示す情報が登録される。検索方向１３０３には、検索開始波長番号に対して老番方向に順に検索する場合「下方向」とし、若番方向に順に検索する場合「上方向」がセットされる。
【００４４】
次に、図１４の処理フローを参照して、本実施例のパス開通処理について説明する。
まず、操作者により入力された信号種別、始点、終点を取得して（Ｓ１４００）、新規パスの開通区間と信号種別を確認する（Ｓ１４０１）。なお、この例でも、ＯＡＤＭノードＡとＯＡＤＭノードＣ間に、信号種別が位相変調方式Ａのパスを開通させる要求が入力されたとする。
次に、干渉回避条件テーブル３２１を参照して、新規パスの信号種別に対する干渉条件を確認する（Ｓ１４０２）。そして、最大波長番号を変数maxに入力する（Ｓ１４０３）。更に検索管理テーブル３２４を参照して、信号種別に対する波長番号の検索開始位置及び検索方向を確認する（Ｓ１４０４）。次に、変数ｎに、Ｓ１４００で入力された信号種別に対する検索開始波長番号１２０２を入力する。検索方向が下向きの場合は変数yに「１」を、検索方向が上向きの場合は変数yに「-１」を入力し、検索を開始する。
【００４５】
検索により波長番号ｎの開通区間に対するパスの開通状況をパス情報テーブル３２１で確認する（Ｓ１４０５）。そしてパス割当済みかを判定する（Ｓ１４０６）。その結果、パス割当済みでない場合、干渉区間が存在するか否かを判定する（Ｓ１４０７）。その判定の結果、干渉区間が存在する場合、及びＳ１４０６の判定処理においてパス割当済みの場合には、波長ｎにyを加える（Ｓ１４０９）。Ｓ１４０９の処理を実行した後、波長が「０」もしくは最大波長番号を超えるかを判断し、その結果超える場合は、メモリのバッファ領域内のパス情報が０かを判定する（Ｓ１４１１）。
【００４６】
Ｓ１４０７の判定において干渉区間が存在しない場合は、メモリのバッファ領域にパス情報を保存する（Ｓ１４０８）。Ｓ１４１１の判定において、バッファ領域内のパス情報が「０」を判定し、「０」の場合はパス開通不可とし処理を終了する。「０」でない場合はメモリのバッファ領域に保存した開通可能なパス情報（波長番号）の一覧を表示する（Ｓ１４１２）。この例では、位相変調方式Ａは波長番号８から、パス情報テーブル３２１を下方向に検索して、かつ干渉回避条件テーブル３２３の条件を満足する波長番号が有るか、が検索される。その結果、パス情報テーブル３２１の状況から、ノードＡとノードＣ間では波長番号９が未割当てなので、まず波長番号９が候補として上がり、そのパス情報がメモリのバッファ領域に保存される。ｎを更新しながら、更に波長番号の割当ての検索が進むと、結果的に、波長番号９，１１，１２、１３、１４が上げられる。そして、これらの波長番号に関するパス情報のパス開通候補の一覧表が表示される。図１５と同様の表示である。
そして、操作者により選択された波長番号（最も若い番号である波長番号９）にパス番号を自動的に取得、設定して、その後パスの開通処理を行う。なお、パス開通処理（Ｓ１４１３）及びパス開通結果の表示（Ｓ１４１４）の処理は、実施例１と同様であるので、その説明は省略する。
【００４７】
以上のように、本実施例によれば、異なる信号方式のパス間毎に干渉区間として確保されるパス数の消費を出来るだけ少なくし、かつ空きパスを検索する時間を短縮化することができる。例えば、信号種別が、高度変調方式のパス開通要求と、位相変調方式Ａのパス開通要求が交互に発生した場合、干渉回避条件テーブル３２２の内容を満たしながら新たな波長番号を割り当てると、その割当ての度にそれらの間に、２波長数分の干渉区間を確保しなければならず、波長番号の割当てが非効率である。
然しながら、実施例３によれば、高度変調方式のパスと、位相変調方式Ａのパスが割り当てられる波長番号の範囲が予め決められているので、高度変調方式のパス開通要求と、位相変調方式Ａのパス開通要求が交互に発生した場合でも、それらの方式によるパスは、予め決められた範囲内に割当てられるので、両者が隣りどうしに次々と割当てられることは無く、上記したような非効率な割当ては避けられる。
なお、例えば、高度変調方式のパス開通要求の数が当初の予想よりも少なく、位相変調方式Ａのパス開通要求が当初の予想よりも多くなった場合、管理者は入力部３３を操作して、検索管理テーブル３２４の位相変調方式Ａの検索開始番号１３０２の位置を変更することが可能である。当初、その開始番号を「９」と設定しているが、それを前方に移して設定変更することにより、位相変調方式Ａのパス開通要求の増加に対応することができる。
【００４８】
本発明は、信号方式の異なるパス開通処理について提案するものであり、パスの削除については直接関係しない。しかし、パス管理テーブル３２１における波長番号の管理の観点から一応説明しておく。
パス削除処理（パス削除処理部３１２の処理）については、何れの実施例でも同様の処理となる。例えば、現在開通しているパス管理テーブル３２１の一覧を出力部３４に表示し、管理者による入力部３３からの操作に従い、削除すべきパス番号のパス選択欄にチェック「レ」を入れ、パス削除ボタン１５０４（図１５）をクリックすることで、当該パス番号のパスは削除され、対応する波長番号は開放される。この場合、パス管理テーブル３２１内の当該パス番号は最終的に削除される。
なお、パス削除の制御については、ＯｓＰ３０からＤＣＮ２０を介して関連する始点と終点のＯＡＤＭノードにパス削除の指令が送信され、ＯＡＤＭノードの制御部１０６は、対応する波長番号のトランスポンダ１０２の組について、その光経路の設定を解除する。
【符号の説明】
【００４９】
３０：ＯｐＳ  ２０：ＤＣＮ  １００：ＯＡＤＭノード  １０１：ＯＡＤＭ部  １０２：トランスポンダ  １０４:局間光ファイバ  １０５：光増幅部  １０６：装置内監視制御部  １０７：光分岐挿入部  １０８：ＩＦ部  ２００：パス  
１１６：中継光ファイバ  １１７：上り光ファイバ  １１８：下り光ファイバ  １２５：クライアント信号  
３３:入力部  ３４:出力部  ３１：情報処理部  ３１１：パス開通処理部  ３１２：パス削除処理部  ３２：データベース  ３２１：パス情報テーブル  ３２２：干渉回避条件テーブル  ３２３：波長割当テーブル  ３２４：検索管理テーブル  ３５：通信処理部。
【図１】
2012029156.tif 000003
【図２】
2012029156.tif 000004
【図３】
2012029156.tif 000005
【図４】
2012029156.tif 000006
【図５】
2012029156.tif 000007
【図６】
2012029156.tif 000008
【図７】
2012029156.tif 000009
【図８】
2012029156.tif 000010
【図９】
2012029156.tif 000011
【図１０】
2012029156.tif 000012
【図１１】
2012029156.tif 000013
【図１２】
2012029156.tif 000014
【図１３】
2012029156.tif 000015
【図１４】
2012029156.tif 000016
【図１５】
2012029156.tif 000017